【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
インクジェット方式で画像を記録する装置であって、
記録媒体を搬送する搬送手段と、
複数のインク吐出ノズルを有し、前記複数のインク吐出ノズルからインクジェット方式にて画像記録用の第１色のインクを吐出する第１の記録ヘッドと、
複数の前処理剤吐出ノズルを有し、前記複数の前処理剤吐出ノズルからインクジェット方式にて前記記録媒体に対し前記インクの定着性を高める前処理剤を吐出する前処理剤吐出ヘッドと、
前記搬送手段における搬送動作と、前記第１の記録ヘッドおよび前記前処理剤吐出ヘッドにおける吐出動作とを制御する制御手段と、
前記記録媒体上に形成された画像を読み取る画像読取手段と、
不良検出パターンについての前記画像読取手段による読み取り結果に基づいて、前記複数の前処理剤吐出ノズルにおける吐出不良の有無を判定する不良判定手段と、
を備え、
前記複数の前処理剤吐出ノズルと、前記複数のインク吐出ノズルとは、前記記録媒体における前記搬送手段による前記記録媒体の搬送方向と直交する方向についての吐出位置が１対１に対応しており、
前記制御手段が、前記複数の前処理剤吐出ノズルの吐出不良検出処理として、前記搬送手段により前記記録媒体を搬送させつつ、
前記記録媒体の略全面に、前記複数の前処理剤吐出ノズルから前記前処理剤を吐出させる前処理剤吐出処理と、
前記複数のインク吐出ノズルから、前記複数の前処理剤吐出ノズルによる吐出の対象とされた前記記録媒体の上に対し、隣接しあうインク吐出ノズルからの吐出タイミングを異ならせつつ前記第１色のインクを吐出させることによって、それぞれのラインが異なる前記インク吐出ノズルからのインクの吐出によって形成される複数のラインからなる印刷パターンである前記不良検出パターンを形成する第１色吐出処理と、
を実行させ、
前記不良判定手段は、前記第１色のインクにより形成された前記複数のラインの全てについてのライン幅を検出し、前記複数のラインの中に前記ライン幅が所定の閾値の範囲外である幅超過ラインが存在する場合に、前記幅超過ラインを形成した前記第１の記録ヘッドの前記インク吐出ノズルと前記吐出位置が対応する前処理剤吐出ノズルを吐出不良ノズルと判定する、
ことを特徴とする画像記録装置。
【請求項２】
請求項１に記載の画像記録装置において、
複数のインク吐出ノズルを有し、前記複数のインク吐出ノズルからインクジェット方式にて、前記第１色のインクとは色の異なる第２色のインクを吐出する第２の記録ヘッドをさらに備え、
前記制御手段は、前記吐出不良検出処理において、
前記前処理剤吐出処理と、
前記第１色吐出処理と、
前記複数の前処理剤吐出ノズルによる吐出の対象とされた前記記録媒体の略全面に、前記第２の記録ヘッドの前記複数のインク吐出ノズルからインクを吐出させる第２色吐出処理と、
を実行させることを特徴とする画像記録装置。
【請求項３】
インクジェット方式の画像記録装置における前処理剤吐出ノズルの吐出不良を検出する方法であって、
前記画像記録装置が、
記録媒体を搬送する搬送手段と、
複数のインク吐出ノズルを有し、前記複数のインク吐出ノズルからインクジェット方式にて画像記録用の第１色のインクを吐出する第１の記録ヘッドと、
複数の前処理剤吐出ノズルを有し、前記複数の前処理剤吐出ノズルからインクジェット方式にて前記記録媒体に対し前記インクの定着性を高める前処理剤を吐出する前処理剤吐出ヘッドと、
前記搬送手段における搬送動作と、前記第１の記録ヘッドおよび前記前処理剤吐出ヘッドにおける吐出動作とを制御する制御手段と、
前記記録媒体上に形成された画像を読み取る画像読取手段と、
を備え、
前記搬送手段により前記記録媒体を搬送させつつ、前記前処理剤吐出ヘッドからの前記前処理剤の吐出と前記インク吐出ノズルからの第１色のインクの吐出とを行うことで、画像記録を行うものであり、
前記複数の前処理剤吐出ノズルと、前記複数のインク吐出ノズルとは、前記記録媒体における前記搬送手段による前記記録媒体の搬送方向と直交する方向についての吐出位置が１対１に対応しており、
前記記録媒体の略全面に、前記複数の前処理剤吐出ノズルから前記前処理剤を吐出させる前処理剤吐出工程と、
前記複数のインク吐出ノズルから、前記複数の前処理剤吐出ノズルによる吐出の対象とされた前記記録媒体の上に対し、隣接しあうインク吐出ノズルからの吐出タイミングを異ならせつつ前記第１色のインクを吐出させることによって、それぞれのラインが異なる前記インク吐出ノズルからのインクの吐出によって形成される複数のラインからなる印刷パターンである前記不良検出パターンを形成する第１色吐出工程と、
前記記録媒体上に形成された不良検出パターンを前記画像読取手段によって読み取る読取工程と、
前記不良検出パターンについての前記画像読取手段による読み取り結果に基づいて、前記複数の前処理剤吐出ノズルにおける吐出不良の有無を判定する不良判定工程と、
を備え、
前記不良判定工程においては、前記第１色のインクにより形成された前記複数のラインの全てについてのライン幅を検出し、前記複数のラインの中に前記ライン幅が所定の閾値の範囲外である幅超過ラインが存在する場合に、前記幅超過ラインを形成した前記第１の記録ヘッドの前記インク吐出ノズルと前記吐出位置が対応する前処理剤吐出ノズルを吐出不良ノズルと判定する、
ことを特徴とするインクジェット方式の画像記録装置における前処理剤吐出ノズルの吐出不良検出方法。
【請求項４】
請求項３に記載の吐出不良検出方法において、
前記画像記録装置が、複数のインク吐出ノズルを有し、前記複数のインク吐出ノズルからインクジェット方式にて、前記第１色のインクとは色の異なる第２色のインクを吐出する第２の記録ヘッドをさらに備え、
前記複数の前処理剤吐出ノズルによる吐出の対象とされた前記記録媒体の略全面に、前記第２の記録ヘッドの前記複数のインク吐出ノズルからインクを吐出させる第２色吐出工程、
をさらに備えることを特徴とするインクジェット方式の画像記録装置における前処理剤吐出ノズルの吐出不良検出方法。
【手続補正２】
【補正対象書類名】明細書
【補正対象項目名】０００９
【補正方法】変更
【補正の内容】
【０００９】
上記課題を解決するため、請求項１の発明は、インクジェット方式で画像を記録する装置であって、記録媒体を搬送する搬送手段と、複数のインク吐出ノズルを有し、前記複数のインク吐出ノズルからインクジェット方式にて画像記録用の第１色のインクを吐出する第１の記録ヘッドと、複数の前処理剤吐出ノズルを有し、前記複数の前処理剤吐出ノズルからインクジェット方式にて前記記録媒体に対し前記インクの定着性を高める前処理剤を吐出する前処理剤吐出ヘッドと、前記搬送手段における搬送動作と、前記第１の記録ヘッドおよび前記前処理剤吐出ヘッドにおける吐出動作とを制御する制御手段と、前記記録媒体上に形成された画像を読み取る画像読取手段と、不良検出パターンについての前記画像読取手段による読み取り結果に基づいて、前記複数の前処理剤吐出ノズルにおける吐出不良の有無を判定する不良判定手段と、を備え、前記複数の前処理剤吐出ノズルと、前記複数のインク吐出ノズルとは、前記記録媒体における前記搬送手段による前記記録媒体の搬送方向と直交する方向についての吐出位置が１対１に対応しており、前記制御手段が、前記複数の前処理剤吐出ノズルの吐出不良検出処理として、前記搬送手段により前記記録媒体を搬送させつつ、前記記録媒体の略全面に、前記複数の前処理剤吐出ノズルから前記前処理剤を吐出させる前処理剤吐出処理と、前記複数のインク吐出ノズルから、前記複数の前処理剤吐出ノズルによる吐出の対象とされた前記記録媒体の上に対し、隣接しあうインク吐出ノズルからの吐出タイミングを異ならせつつ前記第１色のインクを吐出させることによって、それぞれのラインが異なる前記インク吐出ノズルからのインクの吐出によって形成される複数のラインからなる印刷パターンである前記不良検出パターンを形成する第１色吐出処理と、を実行させ、前記不良判定手段は、前記第１色のインクにより形成された前記複数のラインの全てについてのライン幅を検出し、前記複数のラインの中に前記ライン幅が所定の閾値の範囲外である幅超過ラインが存在する場合に、前記幅超過ラインを形成した前記第１の記録ヘッドの前記インク吐出ノズルと前記吐出位置が対応する前処理剤吐出ノズルを吐出不良ノズルと判定する、ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項３の発明は、インクジェット方式の画像記録装置における前処理剤吐出ノズルの吐出不良を検出する方法であって、前記画像記録装置が、記録媒体を搬送する搬送手段と、複数のインク吐出ノズルを有し、前記複数のインク吐出ノズルからインクジェット方式にて画像記録用の第１色のインクを吐出する第１の記録ヘッドと、複数の前処理剤吐出ノズルを有し、前記複数の前処理剤吐出ノズルからインクジェット方式にて前記記録媒体に対し前記インクの定着性を高める前処理剤を吐出する前処理剤吐出ヘッドと、前記搬送手段における搬送動作と、前記第１の記録ヘッドおよび前記前処理剤吐出ヘッドにおける吐出動作とを制御する制御手段と、前記記録媒体上に形成された画像を読み取る画像読取手段と、を備え、前記搬送手段により前記記録媒体を搬送させつつ、前記前処理剤吐出ヘッドからの前記前処理剤の吐出と前記インク吐出ノズルからの第１色のインクの吐出とを行うことで、画像記録を行うものであり、前記複数の前処理剤吐出ノズルと、前記複数のインク吐出ノズルとは、前記記録媒体における前記搬送手段による前記記録媒体の搬送方向と直交する方向についての吐出位置が１対１に対応しており、前記記録媒体の略全面に、前記複数の前処理剤吐出ノズルから前記前処理剤を吐出させる前処理剤吐出工程と、前記複数のインク吐出ノズルから、前記複数の前処理剤吐出ノズルによる吐出の対象とされた前記記録媒体の上に対し、隣接しあうインク吐出ノズルからの吐出タイミングを異ならせつつ前記第１色のインクを吐出させることによって、それぞれのラインが異なる前記インク吐出ノズルからのインクの吐出によって形成される複数のラインからなる印刷パターンである前記不良検出パターンを形成する第１色吐出工程と、前記記録媒体上に形成された不良検出パターンを前記画像読取手段によって読み取る読取工程と、前記不良検出パターンについての前記画像読取手段による読み取り結果に基づいて、前記複数の前処理剤吐出ノズルにおける吐出不良の有無を判定する不良判定工程と、を備え、前記不良判定工程においては、前記第１色のインクにより形成された前記複数のラインの全てについてのライン幅を検出し、前記複数のラインの中に前記ライン幅が所定の閾値の範囲外である幅超過ラインが存在する場合に、前記幅超過ラインを形成した前記第１の記録ヘッドの前記インク吐出ノズルと前記吐出位置が対応する前処理剤吐出ノズルを吐出不良ノズルと判定する、ことを特徴とする。
【手続補正５】
【補正対象書類名】明細書
【補正対象項目名】００１３
【補正方法】変更
【補正の内容】
【００１３】
請求項４の発明は、請求項３に記載の吐出不良検出方法において、前記画像記録装置が、複数のインク吐出ノズルを有し、前記複数のインク吐出ノズルからインクジェット方式にて、前記第１色のインクとは色の異なる第２色のインクを吐出する第２の記録ヘッドをさらに備え、前記複数の前処理剤吐出ノズルによる吐出の対象とされた前記記録媒体の略全面に、前記第２の記録ヘッドの前記複数のインク吐出ノズルからインクを吐出させる第２色吐出工程、をさらに備えることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項１ないし請求項４の発明によれば、記録媒体において、前処理剤吐出ノズルによる前処理剤の吐出が良好になされていない領域では、第１色のインクの記録媒体上への定着性が低いために、第１色のインクより形成された印刷パターンに滲みが生じる。従って、この滲みが生じた領域に対応する前処理剤吐出ノズルが吐出不良であると判定することで、前処理剤吐出ノズルにおける吐出不良を検出することができる。
【手続補正８】
【補正対象書類名】明細書
【補正対象項目名】００１６
【補正方法】変更
【補正の内容】
【００１６】
請求項２および請求項４の発明によれば、前処理剤の吐出が良好になされていない領域では、第１色および第２色のインクが混ざり合って滲みとなるので、滲みを生じさせるインクの量が多くなり、より高い精度で前処理剤吐出ノズルの吐出不良を検出することができる。
【手続補正９】
【補正対象書類名】明細書
【補正対象項目名】００１７
【補正方法】削除
【補正の内容】